(57)【要約】コンテンツを遠隔編集するためのシステム（１０）および方法は、オリジナル・コンテンツ（１８）の第１の解像度の版を作成する第１の装置（１２）と、オリジナル・コンテンツ（１８）の第２のより高い解像度の版を作成する第２の装置（１４）とを含む。遠隔地に配置された編集ステーション（２６）は、第１の解像度の版を受信し、この第１の解像度の版に対する編集処理を実行して編集パラメータを作成する。オーサリング・システム（２２）は、遠隔地に配置された編集ステーション（２６）から編集パラメータを受信し、この編集パラメータを第２のより高い解像度の版に適用して遠隔地の編集ステーション（２６）で編集されたオリジナル・コンテンツのプロダクション版を提供する。
2009501491.tif 000002
【特許請求の範囲】
【請求項１】
コンテンツを遠隔編集するためのシステムであって、
オリジナル・コンテンツ（１８）の第１の解像度の版を作成する第１の装置（１２）と、
前記オリジナル・コンテンツ（１８）の第２のより高い解像度の版を作成する第２の装置（１４）と、
前記第１の解像度の版を受信し、当該第１の解像度の版に対する編集処理を実行して編集パラメータを作成する遠隔地に配置された編集ステーション（２６）と、
前記遠隔地に配置された編集ステーションから前記編集パラメータを受信し、当該編集パラメータを前記第２のより高い解像度の版に適用して前記遠隔地の編集ステーションで編集された前記オリジナル・コンテンツのプロダクション版を提供するオーサリング・システム（２２）と、を含む、前記システム。
【請求項２】
前記第１の装置、第２の装置、およびオーサリング・システムは、サービス・プロバイダの場所（１５）に位置し、前記編集ステーションは、ユーザの場所（２６）に位置し、通信の内容がネットワーク（２８）を介して前記サービス・プロバイダと前記ユーザの場所との間で転送される、請求項１に記載のシステム。
【請求項３】
前記ネットワークが（２８）、インターネット、ケーブル・ネットワーク、電話ネットワークのいずれか１つを含む、請求項２に記載のシステム。
【請求項４】
前記通信がナローバンド通信チャンネルを介して実行される、請求項２に記載のシステム。
【請求項５】
前記オリジナル・コンテンツ（１８）が前記サービス・プロバイダに携帯型メディア・デバイス上で送付される、請求項２に記載のシステム。
【請求項６】
前記第１および第２の装置（１２、１４）が符号化器を含む、請求項１に記載のシステム。
【請求項７】
前記第１の解像度の版の全てのフレームが、連続的に提示される順序で前記第２のより高い解像度の版における同じフレームに関連付けられる、請求項１に記載のシステム。
【請求項８】
前記プロダクション版をメディア・デバイスに保存するためのオーサリング・プロダクション機器（２４）をさらに含む、請求項１に記載のシステム。
【請求項９】
前記オリジナル・コンテンツ（１８）がユーザによってネットワーク（２８）を介してアップロードされる、請求項１に記載のシステム。
【請求項１０】
コンテンツを遠隔編集するためのシステムであって、
ユーザからオリジナル・コンテンツ（１８）を受信するサーバ（４０）を含み、
前記サーバは、
前記オリジナル・コンテンツ（１８）の第１の解像度の版を作成する第１の符号化器（１２）と、
前記オリジナル・コンテンツ（１８）の第２のより高い解像度の版を作成する第２の符号化器（１４）と、
遠隔地に配置された編集ステーション（２６）によって前記第１の解像度の版に対して実行された編集処理を指定する編集パラメータを受信し、当該編集パラメータを前記第２のより高い解像度の版に適用して前記遠隔地の編集ステーションで編集された前記オリジナル・コンテンツのプロダクション版を提供するオーサリング・システム（２２）とを含む、前記システム。
【請求項１１】
前記サーバ（４０）と前記ユーザの場所（２６）との間の通信の内容がナローバンド・チャンネルを介して転送される、請求項１０に記載のシステム。
【請求項１２】
前記ナローバンド・チャンネルが、インターネット、ケーブル・ネットワーク、電話ネットワークのいずれか１つを介したものである、請求項１１に記載のシステム。
【請求項１３】
前記オリジナル・コンテンツ（１８）が前記サーバ（４０）に、携帯型メディア・デバイス上で送付される請求項１０に記載のシステム。
【請求項１４】
連続的に提示される順序で前記第１の解像度の版の全てのフレームが前記第２のより高い解像度の版における各フレームに関連する、請求項１０に記載のシステム。
【請求項１５】
前記プロダクション版をメディア・デバイスに保存するためのオーサリング・プロダクション機器（２４）をさらに含む、請求項１０に記載のシステム。
【請求項１６】
前記オリジナル・コンテンツ（１８）がユーザによってネットワーク（２８）を介してアップロードされる、請求項１０に記載のシステム。
【請求項１７】
ディジタル・コンテンツを遠隔編集するための方法であって、
オリジナル・コンテンツの低解像度の版および高解像度の版を作成するステップ（１０４）であって、前記低解像度の版の全てのフレームが連続的に提示される順序で前記高解像度の版における各フレームに関連づけられる、前記ステップと、
前記低解像度の版を遠隔地に配置された編集ステーションに送信し、前記低解像度の版の編集を可能として編集パラメータを作成するステップ（１０６）と、
前記低解像度の版のために作成された前記編集パラメータを前記高解像度の版に適用することによって前記高解像度の版を修正するステップ（１０８）と、を含む、前記方法。
【請求項１８】
前記オリジナル・コンテンツの編集に関するサービスを提供するためのサービス料金を課金するステップ（１１２）をさらに含む、請求項１７に記載の方法。
【請求項１９】
前記オリジナル・コンテンツの前記修正された高解像度の版を有する携帯型ストレージ・メディア・デバイスを作成するステップ（１１０）をさらに含む、請求項１７に記載の方法。
【請求項２０】
前記携帯型ストレージ・メディア・デバイスを提供するサービス料金を課金するステップ（１１４）をさらに含む、請求項１９に記載の方法。
【請求項２１】
請求項１７に記載された各ステップを実行するために機械的に実行可能なプログラム命令を具体的な形態に実施する機械的に読み取り可能なプログラム・ストレージ・デバイス。
【発明の詳細な説明】
【技術分野】
【０００１】
本発明は、一般的には、ディジタル・コンテンツのための編集システムに関し、より具体的には、ナローバンド通信チャンネルを介してアクセスされる遠隔地に配置されたシステムを用いてビデオを編集するためのシステムおよび方法に関する。
【背景技術】
【０００２】
ビデオカメラおよびビデオ・レコーディング機器の普及に伴い、個人および／またはビジネスでビデオまたは他のディジタル情報を記録するための必要性が高まっている。ディジタル情報の記録と共に、情報を編集する必要性が生じている。個人がハイグレードのオーディオ／ビデオ（Ａ／Ｖ）素材の編集（例えば、ディジタル編集用素材（ｄｉｇｉｔａｌ  ｄａｉｌｉｅｓ）のコメント作成）、ＤＶＤオーサリングなど）を望む場合がある。この場合、多くは、個人は、ハイグレードなディジタル・オーディオおよびビデオを処理するために必要な広範な機器が自分と同じ場所になく、また、個人でそのような機器を所有していないことが多い。
【０００３】
放送コンテンツやＤＶＤビデオ・ディスクなどの編集されたハイグレードのＡ／Ｖ素材を作成する際、個人は、通常、コンテンツをディジタル受信し、コンテンツを記憶し、コンテンツを編集し、ＤＶＤビデオ・ディスクなど、編集された版のコンテンツを作成する装置を含む大きな資本を必要とするワークステーションを使用する。このプラクティスを行うことができるのは、資本集約的な機器に依存する現状では、このようなシステムに対して十分なお金を費やすことができる個人のみに限られている。例えば、この問題は、サービス・プロバイダが消費者の家庭用ビデオ素材（多くの場合は、アナログ・メディア）をコピーし、コンテンツをＤＶＤなどのディジタル・メディアに加工するような、消費者に対して提供され始めてきた従来型の各サービスにみうけられる。これらのサービスは、今日のプラクティスにおいて、消費者が自己のＡ／Ｖ資産をディジタル化することを、そのための特別な機器を所有していなくとも行えるようにするメカニズムを実現するという利点がある。しかしながら、競争力のある価格でこのようなサービスを維持するために、サービス・プロバイダはこのプラクティスを一般的な／任意な方法に基づいてコンテンツを編集することによって自動化する。この自動化によってサービス・プロバイダが、編集処理において状況に応じた決定を行うために全ての個々に映像を視聴しなければならないという必要性が軽減される。これは、さらに、完成品に対して大きな価値を与えるような、編集処理に関して状況に応じた決定を行う権利を消費者が放棄することを意味する。従って、このような任意的に編集されたコンテンツの最終的な価値が損なわれる。
【発明の開示】
【０００４】
（発明の概要）
本発明は、ナローバンド・データ・チャンネルのみを含む場合があるデータ・チャンネルを使用し、ハイグレードなオーディオ／ビジュアル素材の編集を、このような編集を通常行うのに必要となる、大きな資本を必要とする設備を所有すること無しに容易に行うことを可能にする一連の自動化された装置を提供する。
【０００５】
本発明の応用として、消費者が自己のホームビデオを遠隔処理によって編集するサービス・ビジネス・モデルにおけるディジタル・ビデオ・ディスク（ＤＶＤ）のビデオの遠隔編集が含まれる。このようなアプリケーションの例においては、消費者は、基本的なウエブ・ブラウザを用いて「編集」情報を通信し、この編集情報は、例えば、ＤＶＤビデオ・ディスクの自動作成のために供給される。他には、ビデオ・プロダクション（制作）またはフィルム制作業界によって使用されるアプリケーションも含まれる。題材には、フィルム、ディジタル編集用素材（ｄｉｇｉｔａｌ  ｄａｉｌｉｅｓ）、またはその他のコンテンツが含まれる。このコンテンツは、フィルムの場所で大きな資本を必要とする機器にアクセスすることなく、サイト側のスタッフによって遠隔編集することができる。
【０００６】
ビデオ・ゲーム開発アプリケーションなどの他の応用も想定される。ビデオ・ゲーム設計チームは、非常に大きい場合があり、分散している場合も多い。ゲームの一セグメント（即ち、レベル設計）に従事するデザイナーは、実際のグラフィックやテクスチャが活発に開発されるサーバ／ストレージから離れた場所にいることがある。作業ゲーム環境を（ビデオ、オーディオ、人口知能（ＡＩ）など、全ての点において）「低解像度」のコピーに変換することにより、連続的に環境全体にアクセスする必要なく、遠隔編集を成し遂げることができる。
【０００７】
本発明の実施の形態は、例えば、ナローバンドのデータ・コネクション、さらに、ナローバンドのデータ・コネクションに対するインターフェースとなる標準的な機器のみを使用して、ハイグレードなＡ／Ｖ素材のために基本的な編集内容を遠隔的に作成するための装置を実現する。本発明は、その機能を実現するために、幾つかの利用可能な技術を使用し、この技術を適切な方法で組み合わせることができる。
【０００８】
本発明の一実施の形態においては、コンテンツを遠隔編集するためのシステムおよび方法は、オリジナル・コンテンツの第１の解像度の版を作成する第１の装置と、オリジナル・コンテンツの第２のより高い解像度の版を作成する第２の装置とを含む。遠隔地に配置された編集ステーションは、第１の解像度の版を受信し、この第１の解像度の版に対する編集処理を実行して編集パラメータを作成する。オーサリング・システムは、遠隔地に配置された編集ステーションから編集パラメータを受信し、この編集パラメータを第２のより高い解像度の版に適用して遠隔地の編集ステーションで編集されたオリジナル・コンテンツのプロダクション版を提供する。
【０００９】
本発明の代替的な実施の形態においては、コンテンツを遠隔編集するためのシステムは、ユーザからオリジナル・コンテンツを受信するサーバを含む。サーバは、オリジナル・コンテンツの第１の解像度の版を作成する第１の符号化器と、オリジナル・コンテンツの第２のより高い解像度の版を作成する第２の符号化器とを含む。オーサリング・システムは、サーバ、または、別の場所に設けられ、遠隔地に配置された編集ステーションによって第１の解像度の版に対して実行された編集処理を指定する編集パラメータを受信し、この編集パラメータを第２のより高い解像度の版に適用して遠隔地の編集ステーションで編集されたオリジナル・コンテンツのプロダクション版を提供する。
【００１０】
本発明の他の実施の形態においては、ディジタル・コンテンツを遠隔編集するための方法は、サービス・プロバイダでオリジナル・コンテンツの低解像度の版および高解像度の版を作成するステップを含み、連続的に提示される順序で第１の解像度の版の全てのフレームが第２のより高い解像度の版における同じフレームに関連する。さらに、この方法は、低解像度の版を遠隔地に配置された編集ステーションに送信し、ユーザによる低解像度の版の編集を可能として編集パラメータを作成するステップと、低解像度の版のために作成された編集パラメータを高解像度の版に適用することによって、サービス・プロバイダで高解像度の版を修正するステップとを含む。
【００１１】
本発明の開示内容は、添付図面と併せて以下の詳細な説明を検討することによって容易に理解できるであろう。
【００１２】
各図面は、本発明の概念を例示するためのものであり、本発明の想定される構成を限定しているものではない。理解を容易にするために、各図面を通し、共通の要素を指定するのに可能な場合は、同一の参照符号を使用する。
【発明を実施するための最良の形態】
【００１３】
本発明の実施の形態は、一連の自動化された装置を含み、各自動化された装置は、例えば、ナローバンド・データ・チャンネルを使用して、編集を実行するのに通常大きな資本を必要とする機器を所有する必要無しに、記録可能な素材をハイグレードにオーディオ／ビジュアル編集したものを作成するのを容易にする。本明細書においては、ビデオ編集システムの観点から本発明を説明するが、本発明は、より広い範囲のものであり、ネットワークを介して情報を伝送可能なものであれば、どのようなディジタル・マルチメディア・システムをも含む。さらに、本発明は、電話、セットトップ・ボックス、コンピュータ、衛星リンク、ケーブル・ネットワーク、その他の無線または有線のネットワーク・タイプによってデータの転送および編集を行うどのような編集システムにも適用可能である。
【００１４】
本願の各図面に示された要素は、ハードウエア、ソフトウエア、または、ハードウエアとソフトウエアを組み合わせた様々な形態で実施することができる。好ましくは、これらの要素は、１つ以上の適切にプログラムされた汎用デバイス上でハードウエアおよびソフトウエアの組み合わせによって実施され、このような汎用デバイスには、プロセッサ、メモリ、および、入出力インターフェースが含まれる。
【００１５】
図１は、本発明の一実施の形態に係る電子的コンテンツを遠隔編集するための例示的なシステムのハイレベル・ブロック図である。図１の遠隔編集システムは、例示的に、オリジナル・コンテンツ１８のソースと、サービス・プロバイダ・サイト１５と、クライアント・サイト２６と、ネットワーク２８を含む。図１のシステム１０においては、例えば、サービス・プロバイダ・サイト１５は、例えば、オーディオ・ビジュアル情報を編集することを望むユーザから受信する。ユーザからのオリジナル・コンテンツ１８は、ネットワーク２８を介してアップロードされるものでもよく、このネットワーク２８は、例えば、インターネット、ケーブル・ネットワーク、衛星ネットワーク、電気通信ネットワーク、または、その他の電子情報転送をサポートするネットワークであればどのようなものでもよい。他の構成としては、オリジナル・コンテンツ１８は、メールまたは他の物理的な転送によりサービス・プロバイダ・サイト１５に送信され、サービス・プロバイダ１５のサーバ４０にロードされる。例示されている場合では、ＤＶＤに保存されたホーム・ムービーを編集することを望むユーザは、ＤＶＤのコピーをサービス・プロバイダ１５に送信する。サービス・プロバイダ１５は、ＤＶＤを受信すると、コンテンツをサービス・プロバイダ１５のサーバ１４にロードする。ユーザは、例えば、サービス・プロバイダ１５のウエブ・サイトにアクセスして、編集のために、サービス・プロバイダ１５に送信されたメディア・コンテンツを操作するためのアカウントにアクセスすることができる。ここで、編集セッションを開始することができる。
【００１６】
本発明の他の実施の形態においては、ユーザは、サービス・プロバイダ１５によって与えられたアカウントにログインすることができ、そこで、編集されるコンテンツをサービス・プロバイダ１５のウエブ・サーバにアップロードして、編集処理を開始することができる。いずれの場合においても、編集されるオリジナル・コンテンツは、サービス・プロバイダ１５に提供される。オリジナルのコンテンツ１８は、例えば、ホームビデオ、ピクチャ、オーディオ・レコーディング、制作（プロダクション）準備段階の生フィルム資産（ｒａｗ  ｐｒｅｐｒｏｄｕｃｔｉｏｎ  ｆｉｌｍ  ａｓｓｅｔｓ）など、またはこれらを組み合わせたものが含まれる。オリジナル・コンテンツ１８のメディア、プロダクション版、または、プロダクトには、ＤＶＤ、コンパクト・ディスク（ＣＤ）、フロッピー（登録商標）・ディスク、電子ファイル、フィルム、またはその他のデータ・ストレージ・デバイスが含まれる。
【００１７】
サービス・プロバイダ・サイト１５におけるサーバ４０は、例示的には、編集されるオリジナル・コンテンツが遠隔通信されたものを受信する第１の受信装置１２および第２の受信装置１４を含む。受信装置１２および１４は、符号化器、圧縮器、乗算器、または、オリジナル・コンテンツを受信する他の受信装置などのための後続する処理のために、電子（アナログまたはディジタル）素材をディジタル的に取り込むことが可能な幾つかの受信装置のうちのいずれでもよい。本発明の一実施の形態においては、受信装置１２は、低ビット・レート符号化器を含み、受信装置１４は、高ビット・レート符号化器を含む。本発明のこのような実施の形態においては、符号化器１２および１４は、素材を制作（プロダクション）後の最終的な出力（ｆｉｎａｌ  ｏｕｔｐｕｔ  ｏｆ  ｐｏｓｔｐｒｏｄｕｃｔｉｏｎ）に適した形式にディジタル符号化／圧縮する。例えば、符号化器１２および１４は、ＭＰＥＧ‐２符号化器からなり、これらのＭＰＥＧ‐２符号化器は、ＤＶＤビデオ・システムに適用された際に、高品質レベルを維持する可変のビット・レート（例えば、４〜１０Ｍｂｐｓ）で標準画質解像度の素材を取り込む。このようなデータ・レートは、通常の消費モデルに適しており、これらのデータは、中間素材を編集する集中的なタスクために高性能な機器を必要とする。
【００１８】
図１に示すように、サービス・プロバイダ・サイト１５でサーバ４０において、主装置（高ビット・レート符号化器１４）に加えて、または、その代わりに、並列的な取り込み装置（例えば、低ビット・レート符号化器１２）が使用される。並列的な受信装置１２において、素材はディジタル形式で取り込まれ、このディジタル形式は、（インターネットなどの）ナローバンドのデータ・チャンネル、結果として、低解像度、低ビット・レートにより適したものである。提示される各連続的なフレームが、高ビット・レート素材において連続的に提示される同一のフレームに対して完全に関連するように素材が取り込まれることが好ましい。これは、低ビット・レート素材に対してなされるフレーム単位（ｆｒａｍｅ‐ａｃｃｕｒａｔｅ）の編集が直接的に高ビット・レート素材に対してなされるフレーム単位の編集に変換されるように行われるものである。例えば、高ビット・レート素材は、８Ｍｂｐｓの可変のビット・レートの標準画質ＭＰＥＧ‐２であり、低ビット・レート素材は、１２８ｋｂｐｓの提示されるフレームが同期された（ｐｒｅｓｅｎｔａｔｉｏｎ−ｆｒａｍｅ−ｓｙｎｃｈｒｏｎｉｚｅｄ）ＱＣＩＦ解像度のＭＰＥＧ‐４である。
【００１９】
受信装置１２、１４から受信され、処理されたコンテンツ、例えば、符号化器１２、１４からの符号化されたコンテンツは、コンテンツ・ストレージ・デバイス２０に記憶される。このコンテンツ・ストレージ・デバイス２０はどのようなストレージ・デバイスであってもよい。本発明に従って、編集されるべき低ビット・レートの符号化されたメディア・コンテンツは、サービス・プロバイダ・サイト１５のサーバ４０に保存され、編集のために遠隔地に通信される。例えば、符号化器１２からの低ビット・レートの符号化されたコンテンツは、ネットワーク２８を介して、クライアント・サイト２６（即ち、遠隔編集サイト）でユーザ・インターフェース、または編集インターフェース（図示せず）に転送される。クライアント・サイト２６での遠隔編集インターフェース、またはユーザ・インターフェースは、パーソナル・コンピュータ、電話（例えば、携帯電話）、適切なグラフィカル・ユーザ・インターフェースおよび編集ツール（キーパッド、またはキーボード、およびマウスなど）を有するテレビジョン・セットであってもよいし、他のインタラクティブなデバイスやインターフェースであってもよい。
【００２０】
本発明の一実施の形態においては、クライアント・サイト２６において閲覧することのできるウエブ・ページ３０は、ユーザが受信したコンテンツをインタラクティブに編集できるように構成されている。ウエブ・ページ３０は、インタラクティブなインターフェースを提供し、このインターフェースは、編集されるオリジナルのコンテンツをナローバンドで表したものが受信された際、これを閲覧することを可能にする。このウエブ・インターフェースを介して、ユーザは、フレーム単位の編集処理を実行することが可能となる。この編集処理には、潜在的なシーケンスの開始／終了境界を示すこと、メニュー・システムにおける参照用の「サムネイル」画像として使用するために特定のフレームを取り込むこと、さらに、その他の公知の編集処理が含まれる。例えば、コンテンツに対し、シーンやフレームの番号、または、時間によって索引を付けてもよい。ユーザは、コンテンツの各部分の選択によるシーンの間の選択された移行部分の削除または修正、チャプタやサブチャプタの選択、フォーマットの変更、フォーカス・ズーム、またはその他の、サービス・プロバイダによって利用可能、または提供される修正を行うことができる。これらの処理／編集は、コンテンツの低ビット・レートの版に対して実行される。ユーザは、これらの処理を実行する際、素材を低ビット・レートで表したものを閲覧する。上述したように、この素材を低ビット・レートで表したものは、ナローバンドのインターネット・チャンネル、ブロードバンド、または、その他の非インターネットの転送を介して容易に通信することができる。
【００２１】
しかしながら、連続的に提示される順序で、ユーザ・サイト１１５で受信されたオリジナル・コンテンツを低ビット・レートで表したものの全てのフレームは、オリジナル・コンテンツを高ビット・レートで表したものにおける各々のフレームに関連しているので、低ビット・レートで表したものの（開始／停止境界やサムネイルなどのための）フレーム番号や時間索引に対してユーザが参照するものは、直接、オリジナル・コンテンツを高ビット・レートで表したものに関連している。本発明の様々な実施の形態においては、ユーザに対して初めに、（例えば、シーン変更検出、自動サムネイル選択などの）コンテンツにおけるキーフレーム・ポイントが提供されるか、ユーザが独立してこのようなポイントに到達するかは、サービス・プロバイダの裁量によるものである。
【００２２】
ユーザが低ビット・レートのコンテンツを遠隔編集すると、編集情報を含む低ビット・レートのコンテンツは、コンテンツ作成のために、遠隔地に通信される。本発明の様々な実施の形態においては、コンテンツ作成の場所は、大きな資本を必要とするオーサリング機器が存在する場所であると推定され、オリジナル・コンテンツを高ビット・レート・コンテンツで表したものが保存されている場所と同じ場所とすることができ、この場合、サービス・プロバイダ・サイト１５である。より具体的には、図１のシステム１０は、例示的には、自動化されたオーサリング／プロダクション装置／システム２２およびオーディオ／ビジュアル・オーサリング／プロダクション機器２４を含む。図１のシステム１０においては、オーサリング／プロダクション装置／システム２２およびオーディオ／ビジュアル・オーサリング／プロダクション機器２４は、別個のコンポーネントとして描かれているが、本発明の他の実施の形態においては、自動化されたオーサリング／プロダクション装置／システム２２の機能は、ソフトウエア、ハードウエア、または、ソフトウエアとハードウエアの組み合わせとしてオーディオ／ビジュアル・オーサリング／プロダクション機器２４に組み込まれる。
【００２３】
上述した例においては、（例えば、連続的に提示される順序におけるフレーム番号によって、または、時間索引に基づいて参照される）ユーザの編集ポイントまたはパラメータは、サービス・プロバイダ・サイト１５に位置するオーディオ／ビジュアル・オーサリング／プロダクション機器２４に通信される。オーディオ／ビジュアル・オーサリング／プロダクション機器２４は、クライアント・サイト２６での遠隔編集インターフェースから通信される編集パラメータを受信し、この編集パラメータを、コンテンツ・ストレージ・デバイス２０上に保存されたコンテンツを高ビット・レートのプロダクションを表したものに適用する。上述したように、オーディオ／ビジュアル・オーサリング／プロダクション機器２４は、ディジタル・ファイルの編集／オーサリングを行うために、市販で入手可能なソフトウエアおよび／または装置２２を含むことがある。例えば、オーサリング／プロダクション機器２４は、任意のＭＰＥＧ‐２素材が与えられると、ＤＶＤビデオのメニュー・システム、チャプター・ブレイクの作成、さらに、その他のＤＶＤビデオの機能を実行するための自動化されたスクリプト・ツールを含む場合がある。
【００２４】
次に、オリジナル・コンテンツの今回編集された高ビット・レートのプロダクションを表したものは、オーディオ／ビジュアル・オーサリング／プロダクション機器２４を用いて再生可能なＤＶＤ、ＣＤ、磁気ディスク、または、その他のストレージ・デバイスに記録される。代替的には、オリジナル・コンテンツの今回編集された高ビット・レートのプロダクション版を表したものは、クライエント・サイト２６に直接通信され、ユーザがダウンロードできるようにしてもよい。本発明の一実施の形態においては、コンテンツは、ＤＶＤ、ＣＤ、または、その他のストレージ・デバイスに記録され、ＭＰＥＧ‐２素材からディスク・イメージを作成することができる。
【００２５】
本発明には、ＭＥＰＧ‐２または他のフォーマットの素材のための編集ポイントが、遠隔地のユーザが編集したものに対応するフレーム・リファレンス（ｆｒａｍｅ−ｒｅｆｅｒｅｎｃｅｓ）によって実際に、決定されるようになるシステムおよび方法を提供するという利点がある。既存の自動スクリプト技術は、ウエブ・ページ・インターフェースから集められたこれらのユーザ入力を入力パラメータとして受け入れるように拡張することができる。
【００２６】
本発明の代替的な実施の形態においては、図１のオーディオ／ビジュアル・オーサリング／プロダクション機器２４は、例えば、ウエブ・ページを介してユーザの編集選択によって意図されているように、プロダクション・プロダクト（制作物）（ｐｒｏｄｕｃｔｉｏｎ  ｐｒｏｄｕｃｔ）３２（例えば、編集された高ビット・レートのプロダクション・コンテンツ）として編集されたコンテンツを制作することができるマスタリング・コンポーネントとして構成することができる。このようなプロダクション・プロダクトには、ＤＶＤビデオ・ディスク、または、他の例としては、放送によって提示されるもの、或いは、ディジタル・メディアの何らかのその他の手段が含まれる。
【００２７】
図２は、本発明の例示的な実施の形態に係る電子コンテンツを遠隔編集するための方法のフロー図である。図２の方法２００は、ブロック１０２において開始し、オリジナル・コンテンツ（ホーム・ムービー、テープ・レコーディングなど）がサービス・プロバイダに（例えば、郵便、携帯型ストレージ・メディア上で指定された場所に届けるなどにより）手動で送付されるか、（例えば、電子メール、ファイル転送などにより）電子的に送付される。サービス・プロバイダは、オリジナル・コンテンツの低解像度の版および高解像度の版を作成し、ブロック１０４において、連続的に提示される順序の低解像度の版の全てのフレームは、高解像度の版の各フレームに関連する。
【００２８】
ブロック１０５において、セキュリティ手段が提供される。オリジナル・コンテンツは、個人的なものか、秘密にしなければならないものであるため、コンテンツが他人によってアクセスできないように適切な手段を講じる必要がある。これには、情報の安全を確保するための様々な方法が含まれる。例えば、サービス・プロバイダのサーバにアクセスを許可するのにセキュアなアカウント番号およびユーザ名を使用することができる。また、オリジナルのコンテンツがサービス・プロバイダに送信されると、キーがユーザの指定した住所または場所に送信されるようにしてもよい。次に、このキーは、サービス・プロバイダのシステムに対するアクセスを得るために使用される。他のシステムおよび方法を用いることもできる。
【００２９】
ブロック１０６において、低解像度の版が遠隔地に位置した編集ステーションに送信され、ユーザが低解像度の版を編集し、編集パラメータを作成することを可能にする。遠隔地のステーションは、ユーザの居宅でもよく、サイバーカフェでもよく、キオスクでもよく、他の指定されたどのような場所でもよい。編集パラメータは、フレーム番号、または、オリジナル・コンテンツの低解像度版から削除または修正されたフレームやシーンを示す他の指標であってもよい。編集パラメータおよびその他のサービス・プロバイダとの通信内容は、好ましくは、１つまたは複数のナローバンド・チャンネル（例えば、電話またはケーブル・ネットワークを使用したインターネットを介して）保持される。
【００３０】
ブロック１０８において、サービス・プロバイダにおける高解像度の版が、低解像度の版のために作成された編集パラメータを高解像度の版に適用することによって修正される。低解像度の編集内容は、高解像度の版に移される、または、変換される。編集内容には、低解像度および高解像度の版の同一の各フレームの間の連続的に提示される順序の相関関係が含まれる。ブロック１１０において、オリジナル・コンテンツの高解像度の版（またはプロダクション版）を有する携帯型ストレージ・メディア・デバイスが作成される。プロダクション版は、ユーザに対し、電子メールまたは、場合によっては、ファイル転送によって、電子的に送信されてもよい。
【００３１】
ブロック１１２において、ユーザに対し、サービス・プロバイダによって提供されるオリジナル・コンテンツの編集に関連するサービスのサービス料金が課金される。この課金は、編集または、アクセス時間に基づいてもよいし、固定料金を含むものであってもよい。ブロック１１４において、サービス料金が携帯型ストレージ・メディア・デバイスの提供、または、ダウンロード可能なコンテンツのプロダクション版の提供のために課金される。これは、編集または、アクセス時間に基づいてもよいし、固定料金を含むものであってもよい。
【００３２】
本方法は、方法の各ステップを実行するために機械的に実行可能なプログラム命令を具体的な形態で実施する機械的に読み取り可能なプログラム・ストレージ・デバイス上で実施、提供することができる。
【００３３】
以上、ナローバンド・チャンネルを使用した遠隔ディジタル編集のためのシステムおよび方法の好ましい実施の形態について説明したが、（これらは例示的なものであり、限定するためのものではなく、）当業者であれば、上述した開示内容に対して修正および改変を施すことが可能であることが理解できるであろう。従って、開示した本発明の特定の実施の形態においてなされる変更は、付随する請求の範囲によって概略的に示される本発明の範囲および精神に包含されるものと理解すべきである。上述した内容は、本発明の様々な実施の形態に関するものであるが、本発明の基本的な範囲を逸脱することなく、本発明のさらなる別の実施の形態を考案することも可能である。従って、本発明の適切な範囲は、付随する請求の範囲に従って決定されるべきである。
【図面の簡単な説明】
【００３４】
【図１】本発明の一実施の形態に係る電子的コンテンツを遠隔編集するための例示的なシステムのハイレベル・ブロック図である。
【図２】本発明の例示的な実施の形態に係る電子的コンテンツを遠隔編集するための方法のフロー図である。
【図１】
2009501491.tif 000003
【図２】
2009501491.tif 000004
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
コンテンツを遠隔編集するためのシステムであって、
オリジナル・コンテンツ（１８）の第１の解像度の版を作成する第１の装置（１２）と、
前記オリジナル・コンテンツ（１８）の第２のより高い解像度の版を作成する第２の装置（１４）と、
前記第１の解像度の版を受信し、当該第１の解像度の版に対する編集処理を実行して編集パラメータを作成する遠隔地に配置された編集ステーション（２６）と、
前記遠隔地に配置された編集ステーションから前記編集パラメータを受信し、当該編集パラメータを前記第２のより高い解像度の版に適用して前記遠隔地の編集ステーションで編集された前記オリジナル・コンテンツのプロダクション版を提供するオーサリング・システム（２２）と、を含み、
前記第１の解像度の版の全てのフレームが、連続的に提示される順序で前記第２のより高い解像度の版における同じフレームに関連付けられる、前記システム。
【請求項２】
前記第１の装置、第２の装置、およびオーサリング・システムは、サービス・プロバイダの場所（１５）に位置し、前記編集ステーションは、ユーザの場所（２６）に位置し、通信の内容がネットワーク（２８）を介して前記サービス・プロバイダと前記ユーザの場所との間で転送される、請求項１に記載のシステム。
【請求項３】
前記ネットワークが（２８）、インターネット、ケーブル・ネットワーク、電話ネットワークのいずれか１つを含む、請求項２に記載のシステム。
【請求項４】
前記通信がナローバンド通信チャンネルを介して実行される、請求項２に記載のシステム。
【請求項５】
前記オリジナル・コンテンツ（１８）が前記サービス・プロバイダに携帯型メディア・デバイス上で送付される、請求項２に記載のシステム。
【請求項６】
前記第１および第２の装置（１２、１４）が符号化器を含む、請求項１に記載のシステム。
【請求項７】
前記プロダクション版をメディア・デバイスに保存するためのオーサリング・プロダクション機器（２４）をさらに含む、請求項１に記載のシステム。
【請求項８】
前記オリジナル・コンテンツ（１８）がユーザによってネットワーク（２８）を介してアップロードされる、請求項１に記載のシステム。
【請求項９】
コンテンツを遠隔編集するためのシステムであって、
ユーザからオリジナル・コンテンツ（１８）を受信するサーバ（４０）を含み、
前記サーバは、
前記オリジナル・コンテンツ（１８）の第１の解像度の版を作成する第１の符号化器（１２）と、
前記オリジナル・コンテンツ（１８）の第２のより高い解像度の版を作成する第２の符号化器（１４）と、
遠隔地に配置された編集ステーション（２６）によって前記第１の解像度の版に対して実行された編集処理を指定する編集パラメータを受信し、当該編集パラメータを前記第２のより高い解像度の版に適用して前記遠隔地の編集ステーションで編集された前記オリジナル・コンテンツのプロダクション版を提供するオーサリング・システム（２２）とを含み、
前記第１の解像度の版の全てのフレームが、連続的に提示される順序で前記第２のより高い解像度の版における同じフレームに関連付けられる、前記システム。
【請求項１０】
前記サーバ（４０）と前記ユーザの場所（２６）との間の通信の内容がナローバンド・チャンネルを介して転送される、請求項９に記載のシステム。
【請求項１１】
前記ナローバンド・チャンネルが、インターネット、ケーブル・ネットワーク、電話ネットワークのいずれか１つを介したものである、請求項１０に記載のシステム。
【請求項１２】
前記オリジナル・コンテンツ（１８）が前記サーバ（４０）に、携帯型メディア・デバイス上で送付される請求項９に記載のシステム。
【請求項１３】
前記プロダクション版をメディア・デバイスに保存するためのオーサリング・プロダクション機器（２４）をさらに含む、請求項９に記載のシステム。
【請求項１４】
前記オリジナル・コンテンツ（１８）がユーザによってネットワーク（２８）を介してアップロードされる、請求項９に記載のシステム。
【請求項１５】
ディジタル・コンテンツを遠隔編集するための方法であって、
オリジナル・コンテンツの低解像度の版および高解像度の版を作成するステップ（１０４）であって、前記低解像度の版の全てのフレームが連続的に提示される順序で前記高解像度の版における各フレームに関連づけられる、前記ステップと、
前記低解像度の版を遠隔地に配置された編集ステーションに送信し、前記低解像度の版の編集を可能として編集パラメータを作成するステップ（１０６）と、
前記低解像度の版のために作成された前記編集パラメータを前記高解像度の版に適用することによって前記高解像度の版を修正するステップ（１０８）と、を含む、前記方法。
【請求項１６】
前記オリジナル・コンテンツの編集に関するサービスを提供するためのサービス料金を課金するステップ（１１２）をさらに含む、請求項１５に記載の方法。
【請求項１７】
前記オリジナル・コンテンツの前記修正された高解像度の版を有する携帯型ストレージ・メディア・デバイスを作成するステップ（１１０）をさらに含む、請求項１５に記載の方法。
【請求項１８】
前記携帯型ストレージ・メディア・デバイスを提供するサービス料金を課金するステップ（１１４）をさらに含む、請求項１７に記載の方法。
【請求項１９】
請求項１５に記載された各ステップを実行するために機械的に実行可能なプログラム命令を具体的な形態に実施する機械的に読み取り可能なプログラム・ストレージ・デバイス。
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
コンテンツを遠隔編集するためのシステムであって、
オリジナル・コンテンツの第１の解像度の版を作成する第１の装置と、
前記オリジナル・コンテンツの第２のより高い解像度の版を作成する第２の装置（１４）と、
前記第１の解像度の版を受信し、当該第１の解像度の版に対する編集処理を実行して編集パラメータを作成する遠隔地に配置された編集ステーションと、
前記遠隔地に配置された編集ステーションから前記編集パラメータを受信し、当該編集パラメータを前記第２のより高い解像度の版に適用して前記遠隔地の編集ステーションで編集された前記オリジナル・コンテンツのプロダクション版を提供するオーサリング・システムと、を含み、
前記第１の解像度の版の全てのフレームが、連続的に提示される順序で前記第２のより高い解像度の版における同じフレームに関連付けられる、前記システム。
【請求項２】
前記第１の装置、第２の装置、およびオーサリング・システムは、サービス・プロバイダの場所に位置し、前記編集ステーションは、ユーザの場所に位置し、通信の内容がネットワークを介して前記サービス・プロバイダと前記ユーザの場所との間で転送される、請求項１に記載のシステム。
【請求項３】
前記ネットワークが、インターネット、ケーブル・ネットワーク、および電話ネットワークのいずれか１つを含む、請求項２に記載のシステム。
【請求項４】
前記通信がナローバンド通信チャンネルを介して実行される、請求項２に記載のシステム。
【請求項５】
前記オリジナル・コンテンツが前記サービス・プロバイダに携帯型メディア・デバイス上で送付される、請求項２に記載のシステム。
【請求項６】
前記第１および第２の装置が符号化器を含む、請求項１に記載のシステム。
【請求項７】
前記プロダクション版をメディア・デバイスに保存するためのオーサリング・プロダクション機器をさらに含む、請求項１に記載のシステム。
【請求項８】
前記オリジナル・コンテンツがユーザによってネットワークを介してアップロードされる、請求項１に記載のシステム。
【請求項９】
コンテンツを遠隔編集するためのシステムであって、
ユーザからオリジナル・コンテンツを受信するサーバを含み、
前記サーバは、
前記オリジナル・コンテンツの第１の解像度の版を作成する第１の符号化器と、
前記オリジナル・コンテンツの第２のより高い解像度の版を作成する第２の符号化器と、
遠隔地に配置された編集ステーションによって前記第１の解像度の版に対して実行された編集処理を指定する編集パラメータを受信し、当該編集パラメータを前記第２のより高い解像度の版に適用して前記遠隔地の編集ステーションで編集された前記オリジナル・コンテンツのプロダクション版を提供するオーサリング・システムと、を含み、
前記第１の解像度の版の全てのフレームが、連続的に提示される順序で前記第２のより高い解像度の版における同じフレームに関連付けられる、前記システム。
【請求項１０】
前記サーバと前記ユーザの場所との間の通信の内容がナローバンド・チャンネルを介して転送される、請求項９に記載のシステム。
【請求項１１】
前記ナローバンド・チャンネルが、インターネット、ケーブル・ネットワーク、電話ネットワークのいずれか１つを介したものである、請求項１０に記載のシステム。
【請求項１２】
前記オリジナル・コンテンツが前記サーバに、携帯型メディア・デバイス上で送付される、請求項９に記載のシステム。
【請求項１３】
前記プロダクション版をメディア・デバイスに保存するためのオーサリング・プロダクション機器をさらに含む、請求項９に記載のシステム。
【請求項１４】
前記オリジナル・コンテンツがユーザによってネットワークを介してアップロードされる、請求項９に記載のシステム。
【請求項１５】
ディジタル・コンテンツを遠隔編集するための方法であって、
オリジナル・コンテンツの低解像度の版および高解像度の版を作成するステップであって、前記低解像度の版の全てのフレームが連続的に提示される順序で前記高解像度の版における各フレームに関連づけられる、前記ステップと、
前記低解像度の版を遠隔地に配置された編集ステーションに送信し、前記低解像度の版の編集を可能として編集パラメータを作成するステップと、
前記低解像度の版のために作成された前記編集パラメータを前記高解像度の版に適用することによって前記高解像度の版を修正するステップと、
を含む、前記方法。
【請求項１６】
前記オリジナル・コンテンツの編集に関するサービスを提供するためのサービス料金を課金するステップをさらに含む、請求項１５に記載の方法。
【請求項１７】
前記オリジナル・コンテンツの前記修正された高解像度の版を有する携帯型ストレージ・メディア・デバイスを作成するステップをさらに含む、請求項１５に記載の方法。
【請求項１８】
前記携帯型ストレージ・メディア・デバイスを提供するサービス料金を課金するステップをさらに含む、請求項１７に記載の方法。
【請求項１９】
請求項１５に記載された各ステップを実行するために機械的に実行可能なプログラム命令を具体的な形態に実施する機械的に読み取り可能なプログラム・ストレージ・デバイス。
【国際調査報告】
2009501491.tif 000005
2009501491.tif 000006